(57)【要約】【課題】誰でも簡単に音楽を演奏することができ、かつ、楽譜に関する知識が無くても音楽を創作する楽しみを経験することが可能な回転式楽器を提供する。【解決手段】転がり軸受５で回転可能に支持された回転台１と、回転台１の同一円周上の周方向に並んだ位置にそれぞれ着脱可能に取り付けられる複数の発音体ユニット２と、回転台１を回転させたときに回転台１に取り付けられた発音体ユニット２が通過する定位置に設けられた当接具３とを有し、回転台１に取り付ける複数の発音体ユニット２の順番と間隔を変えることで、回転台１の回転時に複数の発音体ユニット２から鳴る音楽を変えることができる回転式楽器。【選択図】図１
2020187264.tif 000002
【特許請求の範囲】
【請求項１】
転がり軸受（５）で回転可能に支持された回転台（１）と、
前記回転台（１）の同一円周上の周方向に並んだ位置にそれぞれ着脱可能に取り付けられ、音階を構成する各音高の音が鳴るように互いに異なる固有振動数をもつ複数の発音体ユニット（２）と、
前記回転台（１）を回転させたときに前記回転台（１）に取り付けられた前記発音体ユニット（２）が通過する定位置に設けられ、前記複数の発音体ユニット（２）と順に当接することで前記発音体ユニット（２）を鳴らす当接具（３）と、を有し、
前記回転台（１）に取り付ける前記複数の発音体ユニット（２）の順番と間隔を変えることで、前記回転台（１）の回転時に前記複数の発音体ユニット（２）から鳴る音楽を変えることができる回転式楽器。
【請求項２】
前記複数の発音体ユニット（２）は、それぞれ、前記回転台（１）を回転させたときに前記当接具（３）に当接する発音体（１４）と、その当接により前記発音体（１４）が発する音を共鳴させる中空の共鳴箱（１５）とで構成されている請求項１に記載の回転式楽器。
【請求項３】
１つの音高ごとに、その音高の前記発音体ユニット（２）を２つ以上ずつ有する請求項１または２に記載の回転式楽器。
【請求項４】
前記当接具（３）は、
前記回転台（１）を回転させたときに前記発音体ユニット（２）が当接する先端部（２６）と、
前記発音体ユニット（２）が前記先端部（２６）に当接したときに前記先端部（２６）を前記発音体ユニット（２）の通過領域から弾性的に退避させるように前記先端部（２６）を移動可能に支持する揺動アーム部（２７）とで構成されている請求項１から３のいずれかに記載の回転式楽器。
【請求項５】
前記複数の発音体ユニット（２）は、それぞれ前記当接具（３）の前記先端部（２６）に当接する平面状の当接面（１６）を有し、
前記回転台（１）には、前記複数の発音体ユニット（２）をそれぞれ着脱可能に固定する固定具（１９）が設けられ、その固定具（１９）は、前記発音体ユニット（２）を固定具（１９）に固定したときの前記当接面（１６）に垂直な方向が、前記回転台（１）の回転に伴う前記発音体ユニット（２）の進行方向に対して４０°以上傾斜した向きとなるように構成されている請求項４に記載の回転式楽器。
【発明の詳細な説明】
【技術分野】
【０００１】
この発明は、回転式楽器に関する。
【背景技術】
【０００２】
例えば木琴や鉄琴といった楽器では、ドレミファソラシドといった所定の音階を構成する各音高に対応する複数の発音体が音階の順番に並んで配置され、演奏者が、それらの発音体を叩くことで、音楽を演奏することができる（例えば、特許文献１）。
【先行技術文献】
【特許文献】
【０００３】
【特許文献１】特開２０１７−１７３４１２号公報
【特許文献２】特開昭５７−１０４９９１号公報
【発明の概要】
【発明が解決しようとする課題】
【０００４】
木琴や鉄琴といった楽器で音楽を演奏するに際し、演奏する音楽に応じたタイミングで、その音楽を構成する個々の音に対応する音高の発音体を選択的に叩くのは、演奏技術が必要であり、容易ではない。そのため、木琴や鉄琴といった楽器で音楽を演奏して楽しむには、その楽器の演奏技術を習得するための訓練が必要であり、特に、幼児、高齢者、身体障害者などは、楽器で音楽を演奏して楽しむことが難しかった。
【０００５】
また、音楽を創作するに際しては、一般に、音楽を構成する個々の音を時間軸に沿って配列することで音楽の旋律を創作し、その音楽を構成する個々の音の音高とその順序と音を鳴らすタイミングとを楽譜として記録するという方法が採られる。
【０００６】
しかしながら、音楽を構成する個々の音の音高とその順序と音を鳴らすタイミングとを楽譜として記録するには、楽譜を読んだり書いたりする知識が必要であり、その知識が無い人には、音楽を創作する楽しみを経験することが難しかった。
【０００７】
一方、複数の音楽を演奏する装置として、特許文献２に記載のオルゴール装置が知られている。このオルゴール装置は、音楽を構成する個々の音に対応する多数の突起が設けられた円盤と、その円盤を回転駆動する電動モータと、回転する円盤の突起にはじかれて音が鳴るように定位置に設けられた音片ユニットとを有し、円盤を他の円盤に交換することで、演奏する音楽を簡単に変えることができるように構成されている。
【０００８】
しかしながら、このオルゴール装置は、円盤を交換することで、複数の音楽を選択的に演奏することはできるものの、円盤の種類に対応した音楽しか演奏することができず、音楽を創作する楽しみを経験することはできない。
【０００９】
この発明が解決しようとする課題は、誰でも簡単に音楽を演奏することができ、かつ、楽譜に関する知識が無くても音楽を創作する楽しみを経験することが可能な回転式楽器を提供することである。
【課題を解決するための手段】
【００１０】
上記の課題を解決するため、この発明では、以下の構成の回転式楽器を提供する。
すなわち、転がり軸受で回転可能に支持された回転台と、
前記回転台の同一円周上の周方向に並んだ位置にそれぞれ着脱可能に取り付けられ、音階を構成する各音高の音が鳴るように互いに異なる固有振動数をもつ複数の発音体ユニットと、
前記回転台を回転させたときに前記回転台に取り付けられた前記発音体ユニットが通過する定位置に設けられ、前記複数の発音体ユニットと順に当接することで前記発音体ユニットを鳴らす当接具と、を有し、
前記回転台に取り付ける前記複数の発音体ユニットの順番と間隔を変えることで、前記回転台の回転時に前記複数の発音体ユニットから鳴る音楽を変えることができる回転式楽器を提供する。
【００１１】
このようにすると、複数の発音体ユニットを回転台に取り付け、その回転台を回すだけで音楽を演奏することができるので、演奏のための訓練を必要とせずに、幼児、高齢者、身体障害者などでも簡単に音楽を演奏して楽しむことができる。また、回転台に取り付ける複数の発音体ユニットの順番と間隔を変えることで、演奏する音楽をいろいろ変えることができ、しかも、音楽を構成する個々の音の順序と音が鳴るタイミングとを、回転台に並べた発音体ユニットの順番と間隔とで視覚的に把握することができるため、楽譜に関する知識が無くても、音楽を創作する楽しみを経験することができる。
【００１２】
前記複数の発音体ユニットは、それぞれ、前記回転台を回転させたときに前記当接具に当接する発音体と、その当接により前記発音体が発する音を共鳴させる中空の共鳴箱とで構成すると好ましい。
【００１３】
このようにすると、発音体から発する音が、中空の共鳴箱で共鳴するので、響きの良い音で音楽を演奏することが可能となる。また、共鳴箱が、それぞれの発音体ユニットに個々に設けられているので、発音体ユニットの順番と間隔を変えても、安定して、響きの良い音を得ることが可能である。
【００１４】
１つの音高ごとに、その音高の前記発音体ユニットを２つ以上ずつ設けると好ましい。
【００１５】
このようにすると、同じ音高を複数回使用する音楽を演奏することが可能となる。
【００１６】
前記当接具は、前記回転台を回転させたときに前記発音体ユニットが当接する先端部と、前記発音体ユニットが前記先端部に当接したときに前記先端部を前記発音体ユニットの通過領域から弾性的に退避させるように前記先端部を移動可能に支持する揺動アーム部とで構成すると好ましい。
【００１７】
このようにすると、発音体ユニットが当接具の先端部に当接したときに、当接具の先端部が、揺動アーム部の揺動によって発音体ユニットの通過領域から弾性的に退避するので、同一円周上に並ぶそれぞれの発音体ユニットを、円滑に鳴らすことが可能となる。
【００１８】
前記複数の発音体ユニットが、それぞれ前記当接具の前記先端部に当接する平面状の当接面を有する場合、前記回転台に、前記複数の発音体ユニットをそれぞれ着脱可能に固定する固定具を設け、その固定具を、前記発音体ユニットを固定具に固定したときの前記当接面に垂直な方向が、前記回転台の回転に伴う前記発音体ユニットの進行方向に対して４０°以上傾斜した向きとなるように構成すると好ましい。
【００１９】
このようにすると、回転台の回転により、発音体ユニットが当接具の先端部に当接したときに、当接具の先端部が発音体ユニットの当接面から受ける力の向きが、回転台の回転方向に対して大きくずれた向きとなる。そのため、発音体ユニットが当接具の先端部に当接したときに、当接具の先端部が発音体ユニットの通過領域から弾性的に退避する動作を、円滑なものとすることができる。
【発明の効果】
【００２０】
この発明の回転式楽器は、複数の発音体ユニットを回転台に取り付け、その回転台を回すだけで音楽を演奏することができるので、演奏のための訓練を必要とせずに、幼児、高齢者、身体障害者などでも簡単に音楽を演奏して楽しむことができる。また、回転台に取り付ける複数の発音体ユニットの順番と間隔を変えることで、演奏する音楽をいろいろ変えることができ、しかも、音楽を構成する個々の音の順序と音が鳴るタイミングとを、回転台に並べた発音体ユニットの順番と間隔とで視覚的に把握することができるため、楽譜に関する知識が無くても、音楽を創作する楽しみを経験することができる。
【図面の簡単な説明】
【００２１】
【図１】この発明の実施形態の回転式楽器を示す平面図
【図２】図１のII−II線に沿った断面図
【図３】図１のIII−III線に沿った断面図
【図４】図２に示す発音体ユニットの近傍を拡大し、共鳴箱の一部と固定具とを破断して示す図
【図５】図４に示す発音体ユニットを発音体の側から見た図
【図６】図４のVI−VI線に沿った断面図
【図７】図１に示す当接具と発音体ユニットとが当接する部分の近傍の拡大図
【図８】発音体ユニットの他の例を図４に対応して示す図
【図９】この発明の実施形態の回転式楽器の他の例を示す斜視図
【発明を実施するための形態】
【００２２】
図１に、この発明の実施形態の回転式楽器を示す。この回転式楽器は、回転台１と、回転台１の同一円周上の周方向に並んだ位置にそれぞれ着脱可能に取り付けられる複数の発音体ユニット２と、回転台１を回転させたときに複数の発音体ユニット２と順に当接することで発音体ユニット２を鳴らす当接具３とを有する。
【００２３】
回転台１は、支持軸４を中心に定位置で回転するように、転がり軸受５で回転可能に支持されている。回転台１は、回転台１から離れた箇所に回転可能に支持された回転ハンドル６に伝動機構７を介して連結され、演奏者が回転ハンドル６を回転操作すると、その回転ハンドル６の回転が伝動機構７を介して回転台１に伝達するようになっている。伝動機構７は、ここでは、回転台１と一体に回転するように回転台１に取り付けられた被操作側プーリ８と、回転ハンドル６と一体に回転するように回転ハンドル６に取り付けられた操作側プーリ９との間に巻き掛けられた環状の伝動ベルト１０とからなるベルト伝動機構である。
【００２４】
図２に示すように、回転台１は、水平円盤状に形成されている。回転台１の上面の側に、発音体ユニット２が取り付けられ、回転台１の下面の側に、被操作側プーリ８が固定されている。回転台１および被操作側プーリ８を回転可能に支持する転がり軸受５は、深溝玉軸受を採用すると好ましい。これにより、回転台１から作用するラジアル荷重とスラスト荷重を１つの転がり軸受５で同時に支持しながら、低トルクで回転台１を回転させることが可能となる。支持軸４は、基台１１に固定されている。
【００２５】
図３に示すように、回転ハンドル６は、ハンドル軸１２を中心に定位置で回転するように、転がり軸受１３で回転可能に支持されている。回転ハンドル６は、回転台１と同様に、水平円盤状に形成されている。回転ハンドル６の下面の側に、操作側プーリ９が固定されている。回転ハンドル６および操作側プーリ９を回転可能に支持する転がり軸受１３は、深溝玉軸受を採用すると好ましい。これにより、回転ハンドル６から作用するラジアル荷重とスラスト荷重を１つの転がり軸受１３で同時に支持しながら、低トルクで回転ハンドル６を回転させることが可能となる。ハンドル軸１２は、基台１１に固定されている。ハンドル軸１２は、支持軸４（図２参照）に対して間隔をおいて平行に配置されている。
【００２６】
図４、図５に示すように、発音体ユニット２は、それぞれ、回転台１を回転させたときに当接具３に当接する発音体１４と、その当接により発音体１４が発する音を共鳴させる中空の共鳴箱１５とで構成されている。発音体ユニット２は、音階（ドレミファソラシドといった所定の音階）を構成する各音高の音が鳴るように、１つの音高ごとに１つ以上ずつ設けられており、演奏者はそれらの発音体ユニット２のうちから回転台１に取り付けるものを自由に選んで使用する。１つの音高ごとに、その音高の発音体ユニット２を２つ以上ずつ設けると、同じ音高を複数回使用する音楽を演奏することが可能となるので好ましい。
【００２７】
発音体１４は、金属製または木製の平板部材が採用されている。各発音体１４は、当接具３と当接したときにドレミファソラシドといった所定の音階を構成する各音高の音を発するように、互いに異なる固有振動数を有する。すなわち、比較的低い音高の音を発する発音体１４は、その音高に対応した低い固有振動数を有するように、発音体１４の振動部分の長さが長くなるように形成され、一方、比較的高い音高の音を発する発音体１４は、その音高に対応した高い固有振動数を有するように、発音体１４の振動部分の長さが短くなるように形成されている。ここで、各発音体１４は、その振動部分の長さを音高に応じて異ならせることで、発音体１４が発する音の音高を、視覚的に把握することができるようになっている。各発音体１４は、回転台１の回転方向前側に、当接具３に当接する平面状の当接面１６を有する。
【００２８】
共鳴箱１５は、中空筒状の細長い箱体である。共鳴箱１５と発音体１４は、間隔をおいて平行に配置されている。共鳴箱１５の発音体１４に対向する面には、発音体１４が発する音を導入するサウンドホール１７が形成されている。また、共鳴箱１５の発音体１４に対向する面には、サウンドホール１７を間に挟む両側に、発音体１４を支持する一対の支持部材１８が設けられている。支持部材１８は、発音体１４が音を発するときの発音体１４の振動を妨げないように遊びをもって発音体１４を支持している。
【００２９】
図１に示すように、回転台１には、同一円周上の周方向に並んだ位置に複数の発音体ユニット２を着脱可能に固定する固定具１９が設けられている。図では、複数の固定具１９を同一円周上に並べて設けた例を示しているが、その複数の固定具１９を一体化したものに相当する環状の単一部材を固定具１９として用いてもよい。
【００３０】
図６に示すように、固定具１９は、発音体ユニット２の共鳴箱１５に設けられた凸部２０と係合する凹部２１を有し、その凸部２０と凹部２１の係合によって発音体ユニット２を固定する。ここで、固定具１９と発音体ユニット２とが係合する箇所を、発音体ユニット２を構成する発音体１４と共鳴箱１５のうちの発音体１４の側に配置するのではなく、共鳴箱１５の側に配置することによって、発音体１４が音を発するときの発音体１４の振動が固定具１９で妨げられるのを防止している。
【００３１】
凸部２０は、ここでは、共鳴箱１５の端部外周に形成されたフランジ状の部分である。固定具１９は、共鳴箱１５の長さ方向の端面２２を支持する座面２３と、座面２３から突出して形成された一対の対向片２４とを有する。一対の対向片２４は、共鳴箱１５の端部を間に挟むように対向して配置されている。凹部２１は、ここでは、一対の対向片２４の相互に対向する対向面に、座面２３と平行に延びるように形成された溝の部分である。また、固定具１９には、共鳴箱１５の凸部２０を固定具１９の凹部２１内でスライドさせながら、共鳴箱１５を固定具１９の座面２３と平行に移動させたときに、共鳴箱１５の移動範囲を規制するストッパ２５（図７参照）が設けられている。
【００３２】
図７に示すように、固定具１９は、当接面１６に垂直な方向が、回転台１の回転に伴う発音体ユニット２の進行方向に対してなす傾斜角θが４０°以上（図では４５°）となる向きで発音体ユニット２を固定するように構成されている。
【００３３】
図１に示すように、当接具３は、回転台１を回転させたときに回転台１に取り付けられた発音体ユニット２が通過する定位置に設けられている。当接具３は、回転台１を回転させたときに発音体ユニット２が当接する先端部２６と、先端部２６を支持する揺動アーム部２７とで構成されている。先端部２６は球状に形成されている。
【００３４】
揺動アーム部２７は、基台１１上の定位置に固定された支点部２８で支持されている。揺動アーム部２７は、発音体ユニット２が先端部２６に当接したときに、発音体ユニット２から受ける力で支点部２８を支点にしてたわみを生じ、そのたわみによって、先端部２６を発音体ユニット２の通過領域から弾性的に退避させるように先端部２６を移動可能に支持している。この実施形態では、揺動アーム部２７のたわみによって先端部２６を移動可能に支持する形態を例に挙げて説明したが、揺動アーム部２７と一体に支点部２８を回動可能とするとともに、揺動アーム部２７の回動角度を弾性的に保持するスプリングを設け、支点部２８の回動によって先端部２６を移動可能に支持する形態としてもよい。
【００３５】
この回転式楽器の使用例を説明する。まず、演奏者が、演奏する音楽で鳴らしたい音の音高に対応する発音体ユニット２を、その音楽で鳴らしたい音の順番に並ぶように、回転台１の固定具１９に取り付ける。そして、演奏者が回転ハンドル６を回転させると、その回転ハンドル６の回転速度に応じた速度で回転台１が回転し、その回転台１の回転に伴って回転台１に取り付けられた複数の発音体ユニット２が順に当接具３に当接し、その当接によって個々の発音体ユニット２が発する音によって音楽を演奏することができる。ここで、回転台１に取り付ける複数の発音体ユニット２の種類とその順番と間隔とを変えることで、音楽を構成する個々の音の音高とその順序と音が鳴るタイミングとを変更し、回転台１の回転時に複数の発音体ユニット２から鳴る音楽を変えることができる。
【００３６】
ところで、例えば鉄琴や木琴といった楽器では、あらかじめ音階の順番に並んで配置された発音体を叩くことで、音楽を演奏する。このとき、演奏する音楽に応じたタイミングで、その音楽を構成する個々の音に対応する音高の発音体を選択的に叩くのは、演奏技術が必要であり、容易ではない。そのため、木琴や鉄琴といった楽器で音楽を演奏して楽しむには、その楽器の演奏技術を習得するための訓練が必要であり、特に、幼児、高齢者、身体障害者などは、楽器で音楽を演奏して楽しむことが難しい。また、音楽を創作するに際しては、一般に、音楽を構成する個々の音を時間軸に沿って配列することで音楽の旋律を創作し、その音楽を構成する個々の音の音高とその順序と音を鳴らすタイミングとを楽譜として記録するという方法が採られる。しかしながら、音楽を構成する個々の音の音高とその順序と音を鳴らすタイミングとを楽譜として記録するには、楽譜を読んだり書いたりする知識が必要であり、その知識が無い人には、音楽を創作する楽しみを経験することが難しいという問題がある。
【００３７】
このような問題に対し、この回転式楽器は、複数の発音体ユニット２を回転台１に取り付け、その回転台１を回すだけで音楽を演奏することができるので、演奏のための訓練を必要とせずに、幼児、高齢者、身体障害者などでも簡単に音楽を演奏して楽しむことができる。また、回転台１の回転速度を速くしたり遅くしたりするだけで、演奏速度を変化させることが可能である。
【００３８】
また、この回転式楽器は、回転台１に取り付ける複数の発音体ユニット２の順番と間隔を変えることで、演奏する音楽をいろいろ変えることができ、しかも、音楽を構成する個々の音の順序と音が鳴るタイミングとを、回転台１に並べた発音体ユニット２の順番と間隔とで視覚的に把握することができるため、楽譜に関する知識が無くても、音楽を創作する楽しみを経験することができる。
【００３９】
また、この回転式楽器は、複数の発音体ユニット２が、それぞれ発音体１４と共鳴箱１５とで構成され、発音体１４から発する音が、中空の共鳴箱１５で共鳴するので、響きの良い音で音楽を演奏することが可能である。また、共鳴箱１５が、それぞれの発音体ユニット２に個々に設けられているので、発音体ユニット２の順番と間隔を変えても、安定して、響きの良い音を得ることが可能となっている。
【００４０】
また、この回転式楽器は、発音体ユニット２が当接具３の先端部２６に当接したときに、当接具３の先端部２６が、揺動アーム部２７の揺動によって発音体ユニット２の通過領域から弾性的に退避するので、同一円周上に並ぶそれぞれの発音体ユニット２を、円滑に鳴らすことが可能である。
【００４１】
また、この回転式楽器は、発音体ユニット２を固定具１９に固定したときの当接面１６に垂直な方向が、回転台１の回転に伴う発音体ユニット２の進行方向に対して４０°以上傾斜した向きとなるように固定具１９を構成したので、発音体ユニット２が当接具３の先端部２６に当接したときに、当接具３の先端部２６が発音体ユニット２の当接面１６から受ける力の向きが、回転台１の回転方向に対して大きくずれた向きとなる。そのため、発音体ユニット２が当接具３の先端部２６に当接したときに、当接具３の先端部２６が発音体ユニット２の通過領域から弾性的に退避する動作が、円滑である。
【００４２】
上記実施形態では、回転台１と回転ハンドル６の間で回転を伝達する伝動機構７として、ベルト伝動機構を採用したものを例に挙げて説明したが、ベルト伝動機構にかえて、ギヤを用いた歯車伝動機構を採用することも可能である。
【００４３】
上記実施形態のように、回転台１から離れた箇所に回転ハンドル６を設け、その回転ハンドル６を演奏者が手で操作することで、回転台１を回転させるように構成すると、演奏者の手が発音体ユニット２に干渉するのを防止することができるが、回転ハンドル６を省略し、回転台１を直接手で回転させるように構成することも可能である。
【００４４】
また、上記実施形態では、発音体ユニット２を回転台１に着脱可能に取り付ける固定手段として、固定具１９を用いた例を示したが、発音体ユニット２を回転台１に着脱可能に取り付ける固定手段として、例えば、永久磁石、面ファスナ、吸盤など、別の固定手段を用いることも可能である。
【００４５】
また、上記実施形態では、発音体１４として、金属製または木製の平板部材を採用した例を挙げて説明したが、これにかえて、合成繊維製または金属製の線材に張力を付与した弦を採用することも可能である。
【００４６】
図８に示すように、発音体ユニット２として、固定具１９に着脱可能に固定するベース板３０と、ベース板３０から立ち上がる柱部３１と、柱部３１から吊り下げた発音体１４とからなるものを更に追加してもよい。
【００４７】
上記実施形態では、回転台１の上側に発音体ユニット２を着脱可能に固定して取り付ける構成のものを例に挙げて説明したが、図９に示すように、回転台１の下側に発音体ユニット２を着脱可能に吊り下げて取り付ける構成を採用することも可能である。図９において、発音体ユニット２は、回転台１の外周に沿って周方向に間隔をおいて取り付けられた複数のフック３２に吊り下げられている。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４９】
１        回転台
２        発音体ユニット
３        当接具
５        転がり軸受
１４      発音体
１５      共鳴箱
１６      当接面
１９      固定具
２６      先端部
２７      揺動アーム部
【図１】
2020187264.tif 000003
【図２】
2020187264.tif 000004
【図３】
2020187264.tif 000005
【図４】
2020187264.tif 000006
【図５】
2020187264.tif 000007
【図６】
2020187264.tif 000008
【図７】
2020187264.tif 000009
【図８】
2020187264.tif 000010
【図９】
2020187264.tif 000011